(57)【要約】【課題】  Ｎ個のスライスからなる動画フレームを圧縮処理するシステムに内蔵され、少ないメモリ容量で動画圧縮のためのフレームを効率的に貯蔵することができるメモリを提供する。【解決手段】  メモリは、Ｎ個の第１群のスライスで構成された以前フレーム領域と、Ｋ個の第２群のスライスで構成された復元フレーム領域と、Ｍ個の第３群のスライスで構成された現在フレーム領域とからなる動画フレーム処理領域を含み、前記Ｎは自然数であり、前記Ｋ及びＭは前記Ｎより小さい数である。【選択図】      図４
2004222262.tif 000002
【特許請求の範囲】
【請求項１】
Ｎ個のスライスからなる動画フレームを圧縮処理するシステムに内蔵したメモリにおいて、
前記Ｎ個の第1群のスライスで構成された以前フレーム領域と、
Ｋ個の第２群のスライスで構成された復元フレーム領域と、
Ｍ個の第３群のスライスで構成された現在フレーム領域とからなる動画フレーム処理領域を具備し、
前記Ｎは自然数であり、前記Ｋ及びＭは前記Ｎより小さい数であることを特徴とするメモリ。
【請求項２】
前記現在フレーム領域が入力された前記動画フレームで現在圧縮する映像を貯蔵するスライスと次に圧縮する映像を貯蔵するスライスとを含むことを特徴とする請求項１に記載のメモリ。
【請求項３】
前記Ｋの値が関数式ＣＥＩＬＩＮＧ［ＳＲ／１６］＋１によって決められ、前記ＳＲは動き探索範囲の最大値であり、前記関数式ＣＥＩＬＩＮＧ［］は因数と同一、または因数より小さい整数のうち最大値を示すことを特徴とする請求項２に記載のメモリ。
【請求項４】
前記ＳＲの値が１６である時に、前記Ｋの値は２であることを特徴とする請求項３に記載のメモリ。
【請求項５】
前記ＳＲの値が３２である時に、前記Ｋの値が３であることを特徴とする請求項３に記載のメモリ。
【請求項６】
前記Ｍの値が２と同一、または２より大きい整数であることを特徴とする請求項２に記載のメモリ。
【請求項７】
前記以前フレーム領域が時間上に隣接した以前の復元映像を貯蔵し、前記復元フレーム領域が前記入力されたフレームから現在復元された映像を貯蔵することを特徴とする請求項２に記載のメモリ。
【請求項８】
前記復元フレーム領域が、前記現在フレーム領域に貯蔵された映像を処理する段階ごとに、前記以前フレーム領域及び復元フレーム領域を構成するＮ＋Ｋ個のスライスからなる領域内で前記Ｋ個のスライス間隔に順次に移動することを特徴とする請求項７に記載のメモリ。
【請求項９】
前記Ｎ＋Ｋ個のスライスからなる領域内で前記復元フレームが占有するスライスを除いた残りのスライスが前記以前フレーム領域を形成することを特徴とする請求項８に記載のメモリ。
【請求項１０】
動画フレームを圧縮処理するためのシステムに内蔵され、輝度成分処理領域と色差成分処理領域を有するメモリにおいて、
前記輝度成分処理領域が、
Ｎ個のスライスで構成された輝度成分以前フレーム領域と、
前記Ｎ個より小さいＫ個のスライスで構成された輝度成分復元フレーム領域と、
Ｍ個のスライスで構成された輝度成分現在フレーム領域とからなり、
前記色差成分処理領域が、
前記Ｎ個のハーフスライスで構成された色差成分以前フレーム領域と、
前記Ｋ個のハーフスライスで構成された色差成分復元フレーム領域と、
前記Ｍ個のハーフスライスで構成された色差成分現在フレーム領域とからなり、
前記Ｎが自然数であり、前記Ｋ及びＭが前記Ｎより小さい数であることを特徴とするメモリ。
【請求項１１】
前記ハーフスライスが前記輝度成分処理領域を構成する前記スライスの垂直成分の画素数の半分であることを特徴とする請求項１０に記載のメモリ。
【請求項１２】
前記輝度成分復元フレーム領域が、前記輝度成分現在フレーム領域に貯蔵された輝度成分の映像を処理する段階ごとに、前記輝度成分以前フレーム領域及び前記輝度成分復元フレーム領域を構成するＮ＋Ｋ個のスライスからなる領域内で前記Ｋ個のスライス間隔に順次に移動することを特徴とする請求項１０に記載のメモリ。
【請求項１３】
前記Ｎ＋Ｋ個のスライスからなる領域内で前記輝度成分復元フレーム領域が占有するスライスを除いた残りのスライスが前記輝度成分以前フレーム領域を形成することを特徴とする請求項１２に記載のメモリ。
【請求項１４】
前記色差成分復元フレーム領域が、前記色差成分現在フレーム領域に貯蔵された色差成分の映像を処理する段階ごとに、前記色差成分以前フレーム領域及び前記色差成分復元フレーム領域を構成するＮ＋Ｋ個のハーフスライスからなる領域内で前記Ｋ個のハーフスライス間隔に順次に移動することを特徴とする請求項１０に記載のメモリ。
【請求項１５】
前記Ｎ＋Ｋ個のハーフスライスからなる領域内で前記色差成分復元フレーム領域が占有するハーフスライスを除いた残りのハーフスライスが前記色差成分以前フレーム領域を形成することを特徴とする請求項１４に記載のメモリ。
【請求項１６】
前記Ｋの値が関数式ＣＥＩＬＩＮＧ［ＳＲ／１６］＋１によって決められ、前記ＳＲは動き探索範囲の最大値であり、前記関数式ＣＥＩＬＩＮＧ［］は因数と同一、または因数より小さい整数のうち最大値を示すことを特徴とする請求項１０に記載のメモリ。
【請求項１７】
前記ＳＲの値が１６である時に、前記Ｋの値は２であることを特徴とする請求項１６に記載のメモリ。
【請求項１８】
前記ＳＲの値が３２である時に、前記Ｋの値が３であることを特徴とする請求項１６に記載のメモリ。
【請求項１９】
前記Ｍの値が２と同一、または２より大きい整数であることを特徴とする請求項１０に記載のメモリ。
【発明の詳細な説明】
【技術分野】
【０００１】
本発明は動画圧縮に関するものであり、特に、動画圧縮において圧縮された動画を復元化するのに使用されるフレームメモリの構造に関するものである。
【背景技術】
【０００２】
動画を圧縮して送信する技術としてＭＰＥＧ(Ｍｏｔｉｏｎ  Ｆｉｃｔｕｒｅ  Ｇｒｏｕｐ)技術が最近広く使用されており、この技術は、時間に従って連続して変化する動画圧縮とコード表現を通じて情報が送信されるようにする。特に、ＭＰＥＧ−４はマルチメディア通信を前提に作られた映像圧縮技術として、毎秒６４ｋｂｐｓまたは１９．２ｋｂｐｓの低速送信で動画像を実現することができ、イメージの内容を各々独立的な客体で作って個別的に処理可能にする。ＭＰＥＧ−４方式の動画圧縮技術はインタネット有線網や移動通信網などの無線網で、マルチメディア通信、画像会議システム、コンピュータ、放送、映画、教育、娯楽、遠隔監視などの分野で広く活用されている。
【０００３】
無線通信環境でＭＰＥＧ−４またはＨ．２６３(現在の電話線を利用した映像電話のための圧縮技術)のような方式で動画を圧縮することにおいては、基本的にカメラなどから入力される元映像からその動きを追跡して映像をリアルタイムに圧縮／復元しなければならない。動画の処理は一般的にフレーム単位からなる。
【０００４】
従来は、図１に示したように、動画を処理するために少なくとも３枚のフレームメモリが必要であった。すなわち、入力された元映像(圧縮処理される元映像)を貯蔵するためのフレームメモリ(すなわち、現在フレームＣＦ)、圧縮処理された現在フレームを復元した結果を貯蔵するためのフレームメモリ(すなわち、復元フレームＤＦ)、及び以前映像の復元された映像を貯蔵するためのフレームメモリ(すなわち、以前フレームＰＦ)が必要であった。各フレームは輝度信号成分Ｙと色差信号成分Ｃｂ、Ｃｒで構成される。図２を参照すると、各フレームメモリは映像一フレームの分量を貯蔵するために、映像信号成分(以下、ＹＵＶと記す)４：２：０  ＱＣＩＦ(Ｑｕａｒｔｅｒ  Ｃｏｍｍｏｎ  Ｉｎｔｅｒｍｅｄｉａｔｅ  Ｆｏｒｍａｔ)の場合に１７６×１４４×１．５の画素が必要である。輝度信号成分は１７６×１６画素で各々構成された９個のスライス(１７６×１６×９)に分けられる。現在映像の復元映像を求めるためには、以前映像の復元映像から動き補償をし、これを復元された次の映像と合算して得られた復元映像を貯蔵する。図１に示したように、毎フレーム映像を処理するごとに、メモリ領域内で以前フレームＰＦと復元フレームＤＦの位置は変わる。これは現在フレームに対する復元フレームが次の映像Ｎ＋１を処理する時には以前フレームに見なされるためである。結果的に、入力される毎映像を処理するごとに３枚のフレームが使用され、一フレームは９個のスライスからなるので、１１４ＫＢｙｔｅ(１７６×１４４×１．５×３)のメモリ容量に該当する。
【０００５】
また、このように３枚のフレームを使用する場合には、ＹＵＶ  ４：２：０  ＣＩＦ形式では３５２×２８８×１．５×３＝４５６ＫＢｙｔｅのメモリ容量が必要であり、ＹＵＶ４：２：０ＶＧＡ形式では６４０×４８０×１．５×３＝１３８２ＫＢｙｔｅのメモリ容量が求められる。
【０００６】
同期式ＤＲＡＭのような大容量の外部メモリを使用する場合には、一連の動画圧縮処理過程で３枚のフレームを貯蔵しても、メモリ使用量において負担がないが、低電力のために小容量メモリを内蔵する場合には３枚のフレーム分量を貯蔵することはメモリ使用の側面で負担になるだけでなく、携帯用動画端末機のような低電力環境で不利である。
【特許文献１】大韓民国公開特許１９９９−００５８２２５号
【特許文献２】大韓民国公開特許２０００−００５４４５２号
【発明の開示】
【発明が解決しようとする課題】
【０００７】
したがって、本発明はさらに少ないメモリ容量で効率的に動画圧縮を実行することができる装置を提供する。
【０００８】
また、本発明は動画圧縮のためのフレームを効率的に貯蔵することができる内部メモリの構造を提供する。
【課題を解決するための手段】
【０００９】
本発明の目的を達成するために、本発明によるメモリは、Ｎ個のスライスからなる動画フレームを圧縮処理するシステムに内蔵したメモリにおいて、前記Ｎ個の第１群のスライスで構成された以前フレーム領域と、Ｋ個の第２群のスライスで構成された復元フレーム領域と、Ｍ個の第３群のスライスで構成された現在フレーム領域とからなる動画フレーム処理領域を具備し、前記Ｎは自然数であり、前記Ｋ及びＭは前記Ｍより小さい数であることを特徴とする。
【００１０】
前記現在フレーム領域は入力された前記動画フレームで現在圧縮する映像を貯蔵するスライスと次に圧縮する映像を貯蔵するスライスとを含む。前記以前フレーム領域は時間上に隣接した以前の復元映像を貯蔵し、前記復元フレーム領域が前記入力されたフレームから現在復元された映像を貯蔵する。
【００１１】
前記復元フレーム領域は、前記現在フレーム領域に貯蔵された映像を処理する段階ごとに、前記以前フレーム領域及び復元フレーム領域を構成するＮ＋Ｋ個のスライスからなる領域内で前記Ｋ個のスライス間隔に順次に移動する。ここで、前記Ｎ＋Ｋ個のスライスからなる領域内で前記復元フレームが占有するスライスを除いた残りのスライスが前記以前フレーム領域を形成する。
【００１２】
上述の本発明の目的を達成するために本発明の他の側面によると、本発明によるメモリは、動画フレームを圧縮処理するためのシステムに内蔵され、輝度成分処理領域と色差成分処理領域を含み、前記輝度成分処理領域は、Ｎ個のスライスで構成された輝度成分以前フレーム領域と、前記Ｎ個より小さいＫ個のスライスで構成された輝度成分復元フレーム領域と、Ｍ個のスライスで構成された輝度成分現在フレーム領域とからなる。また、前記色差成分処理領域は、前記Ｎ個のハーフスライスで構成された色差成分以前フレーム領域と、前記Ｋ個のハーフスライスで構成された色差成分復元フレーム領域と、前記Ｍ個のハーフスライスで構成された色差成分現在フレーム領域とからなる。前記Ｎは自然数であり、前記Ｋ及びＭは前記Ｎより小さい数である。
【００１３】
本発明の好ましい形態において、前記Ｋの値は関数式ＣＥＩＬＩＮＧ［ＳＲ／１６］＋１によって決められる。前記ＳＲは動き探索範囲の最大値であり、前記関数式ＣＥＩＬＩＮＧ［］は因数と同一、または因数より小さい整数のうち最大値を示す。前記ＳＲの値が１６である時に、前記Ｋの値は２である。前記ＳＲの値が３２である時に、前記Ｋの値は３である。前記Ｍの値は２と同一、または２より大きい整数である。
【発明の効果】
【００１４】
上述の本発明によると、本発明は一つの動画フレームを圧縮処理することにおいてメモリ要求量を減らす利点がある。ＱＣＩＦ方式の場合に、一つのフレームを処理するために、上述のように、合計９×３のスライスすなわち、２７個のスライスが必要であるが、本発明では１３個のスライスで可能であるので、５２％のメモリ使用量を減らすことができる。メモリ使用量を減らすことができるようになれば、電力消耗を減らすこともできる。次の表１は動画方式に従って輝度信号成分の圧縮処理のための従来と本発明のメモリ要求量を比較したものである。
【表１】
2004222262.tif 000003
【発明を実施するための最良の形態】
【００１５】
本発明の実施の形態では、１７６×１４４の解像度を有するＹＵＶ  ４：２：０  ＱＣＩＦ形式の動画を対象にし、動き探索範囲は水平／垂直方向に−１６から＋１５までとする。しかし、本発明の実施の形態はＱＣＩＦ形式だけでなく、ＣＩＦまたはＶＧＡ形式の動画を処理する場合にも適用できることは勿論である。
【００１６】
本発明の実施の形態で‘フレーム’とは、一時に送信される映像(または画像)の単位を言う。‘フレーム領域’とは、各フレームを貯蔵するメモリ内の領域を言う。'スライス'とは、フレームを構成する単位領域を言い、１７６×１６画素(または解像度)で構成される。‘マクロブロック'とは、一つのスライス内で動き推定される単位領域であり、１６×１６の解像度(または大きさ)に設定される。
【００１７】
動画の圧縮処理は、動画を送信する時に送信される動画をフレーム別に符号化(ｅｎｃｏｄｉｎｇ)し、送信されて入力された動画をフレーム別に復号化(ｄｅｃｏｄｉｎｇ)する過程を基本的に含む。
【００１８】
先ず、符号化においては、入力された映像をフレーム別にメモリに貯蔵し、メモリに貯蔵された以前復元映像を参照して動き推定及び動き補償映像との差が減算過程を通じて得られる。この差信号が離散コサイン変換(Ｄｉｓｃｒｅｔｅ  Ｃｏｓｉｎｅ  Ｔｒａｎｓｆｏｒｍ；ＤＣＴ)及び量子化(Ｑｕａｎｔｉｚａｔｉｏｎ)過程を経た後に、可変長さ符号化される。可変長さ符号化された後に出力されるビット列は出力バッファを通じて符号化された映像信号として通信網のチャンネルに送信される。一方、量子化の後に出力される信号は再び逆量子化及び逆離散コサイン変換ＩＤＣＴ過程を過ぎて元々の信号に復元された後にメモリに貯蔵される。このように符号化されてチャンネルを通じて受信された入力ビット列は復号化過程を経るようになる。すなわち、受信されたビット列は可変長さ復号化過程を通じて復号化され、再び逆量子化及び逆離散コサイン変換ＩＤＣＴを通じて元々の差映像に復元される。この信号はメモリに貯蔵された以前復元映像から動き補償された信号に加算されて現在の映像を復元するための動き補償処理に参照される。
【００１９】
このような動画の圧縮処理のための符号化及び復号化過程で現在及び復元されたフレームを貯蔵するのに使用されるメモリとして、本発明の実施の形態によるメモリの構造が図３に示されている。図３のメモリ構造は、特に携帯用動画端末機などに内蔵される単一メモリで動画処理のためのメモリ構成に関するものである。
【００２０】
図３を参照すると、本発明によるメモリの構成は、 カメラなどから入力される現在フレームを貯蔵する１７６×４８大きさの領域ＣＦ(Ｙ／Ｃｂ／Ｃｒ)、色差信号成分の復元フレームを貯蔵する１７６×１６大きさの領域ＤＦ(Ｃｂ)及びＤＦ(Ｃｒ)、色差信号成分の以前フレームを貯蔵する１７６×７２大きさの領域ＰＦ(Ｃｂ)及びＰＦ(Ｃｒ)、輝度信  
【００２１】
号成分の復元フレームを貯蔵する１７６×３２大きさの領域ＤＦ(Ｙ)、及び輝度信号成分の以前フレームを貯蔵する１７６×１４４大きさの領域ＰＦ(Ｙ)からなる。
【００２２】
色差信号成分のためのフレーム領域は輝度信号成分のためのフレーム領域の半分を占める。すなわち、輝度信号成分のための一つのスライスは１６×１６の大きさであるが、色差信号成分のための一つのスライス(ｈａｌｆ  ｓｌｉｃｅ)は１６×８の大きさである。輝度信号成分の以前フレーム領域ＰＦ(Ｙ)及び復元フレーム領域ＤＦ(Ｙ)、色差成分の以前フレーム領域ＰＦ(Ｃｂ)／ＰＦ(Ｃｒ)及び復元フレーム領域 ＤＦ(Ｃｂ)／ＤＦ(Ｃｒ)、及び現在フレーム領域ＣＦ(Ｙ／Ｃｂ／Ｃｒ)は互いに排他的であり、メモリ内で相互間の位置は変更させることができる。
【００２３】
図３のメモリ構成から輝度信号成分のみを考慮した場合のフレーム構成が一つの実施の形態として図４に示されている。
【００２４】
図４を参照すると、以前映像の復元された成分を貯蔵する以前フレーム領域ＰＦ（Ｙ）は１７６×１４４の大きさとして、９個のスライスＳＬ０〜ＳＬ８で構成され、復元フレーム領域ＤＦ(Ｙ)は１７６×３２の大きさとして、二つのスライスＳＬ９及びＳＬ１０で構成される。１７６×１４４大きさの９個のスライスで構成された以前フレームは一括的に領域ＰＦ(Ｙ)に全部貯蔵する。
【００２５】
図３の領域ＣＦ(Ｙ／Ｃｂ／Ｃｒ)の一部領域(現在フレーム領域は輝度及び色差信号成分で共用)である現在映像のフレーム領域ＣＦ(Ｙ)は二つのスライスＳＬ１１及びＳＬ１２だけで構成される。現在フレーム領域を二つのスライスＳＬ１１及びＳＬ１２で構成したことは、スライス単位に映像入力及び圧縮処理される環境でカメラなどから入力されて貯蔵される手順と圧縮処理されるスライスの手順が異なるので、入力される映像を貯蔵するための書き込み動作と動画圧縮のための読み出し動作を同時に実行することができるようにするためである。したがって、入力される動画フレームに対して輝度信号成分を圧縮処理するためのメモリ構成は、総１３個のスライスＳＬ０〜ＳＬ１２が必要である。これは従来の場合に２７個のスライスが必要であった点と比較すると、約５０％のメモリ容量節減と、それによる電力消耗を減らす効果がある。
【００２６】
図５は一フレームに該当する映像を圧縮処理した後に変更されるメモリ構成を示す。図４及び図５を参照して本発明によるメモリ構成を利用して圧縮処理される過程を説明する。圧縮処理はスライス単位に実行される。
【００２７】
先ず、現在映像の一番目のスライス(ＳＬ１１またはＳＬ１２)を圧縮する時には、スライスＳＬ０及びＳＬ１を利用して動き補償を実行した後に、スライスＳＬ９に復元されたスライスを貯蔵する。その次に、現在映像の二番目のスライス(ＳＬ１２またはＳＬ１１)を圧縮する時にはスライスＳＬ０、ＳＬ１及びＳＬ２を利用して動き補償を実行した後に、スライスＳＬ１０に復元されたスライスを貯蔵する。
【００２８】
動き補償を実行することにおいて、図６は現在映像のスライスＳＬ１２に対して復元映像のスライスＳ１０に貯蔵される２番目(左から)のマクロブロックＭＢに対する動き推定の例を示す。動き推定の範囲が水平／垂直方向に−１６〜＋１５．５(または−１６〜＋１５)であるので、スライスＳＬ１の対応するマクロブロックＭＢ'を囲んだ８個のマクロブロックが前記動き推定範囲内で活用される。動き推定の後に得た差信号は上述のように、現在映像値と合算処理されて復元映像を得るのに反映される。
【００２９】
スライスＳＬ１２に対する復元映像がスライスＳＬ１０に貯蔵された後に復元されるスライスはスライスＳＬ０から貯蔵される。
【００３０】
現在映像のフレーム領域ＣＦ(Ｙ)に貯蔵された映像の復元が完了すると、前記現在映像フレーム領域ＣＦ(Ｙ)には新しい現在映像が入力されて貯蔵され、これに対する圧縮処理過程が上述のように実行される。その結果、現在映像フレームＣＦ(Ｙ)に対する圧縮処理が完了すると、図５に示したように、復元された映像はスライスＳＬ９、ＳＬ１０、ＳＬ０〜ＳＬ６に貯蔵されて新しい以前映像のフレーム領域ＰＦ(Ｙ)を形成し、スライスＳＬ７及びＳＬ８が次に入力される現在映像のフレームを処理するための復元フレーム領域ＤＦ(Ｙ)を構成する。すなわち、現在映像の毎フレームを処理するごとに各フレームに該当するスライスの位置が変わるようになる。
【００３１】
現在映像のフレーム領域ＣＦ(Ｙ)が二つのスライス(ＳＬ１１及びＳＬ１２)で構成されて、二つのスライス単位に圧縮処理が実行されるので、図５に示したように、現在映像のフレーム領域ＣＦ(Ｙ)に対する復元が完了すると、次の復元フレームの始める位置は上方へ二つのスライスだけ移動するようになる。すなわち、一つのフレーム映像に対して復元されたスライスが貯蔵される順序はＳＬ９−ＳＬ１０−ＳＬ０−ＳＬ１−ＳＬ２−ＳＬ３−ＳＬ４−ＳＬ５−ＳＬ６−ＳＬ７−ＳＬ８として１１回の段階が実行され、これは以前フレーム領域と復元フレーム領域を構成するスライスの数(１１個)と同一である。図７は圧縮処理される毎フレーム段階ごとに復元フレームの始まる位置が二つのスライスだけ移動することを示す。
【００３２】
本発明の一実施の形態で、動き探索範囲は復元フレーム領域を構成するスライスの数を決めることに寄与する。すなわち、復元フレーム領域を構成するスライスの数は関数式ＣＥＩＬＩＮＧ［ＳＲ／１６］＋１により決められる。ここで、ＳＲは動き探索範囲の最大値であり、前記関数式ＣＥＩＬＩＮＧ［］は因数と同一、または因数より小さい整数のうちで最大値を示す。ここで、以前フレーム領域を構成するスライス数をＫとすると、復元フレーム領域を構成するスライスの数はＮ＋ＣＥＬＩＬＩＮＧ｛ＳＲ／１６｝＋１と示すことができる。したがって、動き探索範囲を−１６〜＋１５にした場合はＳＲの値が１６であるので、復元フレーム領域を構成するスライスの数Ｋは２となる。以前フレーム領域と復元フレーム領域を構成するスライスの数が９＋２＝１１になることが分かる。動き探索範囲を−３２〜＋３１にした場合は、該当する復元フレーム領域を構成するスライスの数がＣＥＩＬＩＮＧ［３２／１６］＋１＝３であるので、以前フレーム領域と復元フレーム領域を構成するスライスの数は１２個になるであろう。
【００３３】
上述の実施の形態では、ＱＣＩＦ方式の動画に対して本発明が適用されることを説明したが、他の動画方式例えばＣＩＦ方式(３５２×２８８)またはＶＧＡ方式(６４０×４８０)にも本発明を適用することができることを本発明の技術分野で通常の知識を持つ者であれば理解することができるであろう。
【００３４】
また、上述の実施の形態では輝度信号成分に対する処理過程のみを説明したが、色差信号成分に対しても単位スライスの大きさだけが異なり、他は同一であることを理解しなければならない。
【図面の簡単な説明】
【００３５】
【図１】動画圧縮のための従来のメモリ構成を示す図。
【図２】図１のメモリ構成で一フレームの構成に該当する輝度信号成分の構成を示す図。
【図３】本発明によるメモリ構成を示す図。
【図４】図３のメモリ構成で輝度信号成分に対するメモリ構成を一例として示す図。
【図５】一フレームに対する復元過程が実行された後、図４のメモリ構成から変更されたメモリ構成を示す図。
【図６】図４及び図５の復元過程で動き推定のための方式を示す図。
【図７】本発明に従ってフレーム段階ごとに復元が実行される間、復元フレームの位置移動状態を示す図。
【図１】
2004222262.tif 000004
【図２】
2004222262.tif 000005
【図３】
2004222262.tif 000006
【図４】
2004222262.tif 000007
【図５】
2004222262.tif 000008
【図６】
2004222262.tif 000009
【図７】
2004222262.tif 000010